(57)【要約】【課題】一方が開放した中空円筒状のソケットの他端側でソケットの直径より外方に伸展した大きな平面部を有するランプソケットによりＬＥＤ電球からの熱を効率よくＬＥＤ電球の外方に放出する。【解決手段】本発明の照明器具用ソケットは、電極を備えて、挿入される照明用ランプ３の周辺を保護する円筒形の電気絶縁体を持つソケットにおいて、円筒形の電気絶縁体１は、円筒形の一部を円筒の外側へ伸展した鍔状の伸展部４を備えた。【選択図】図１
2007242435.tif 000002
【特許請求の範囲】
【請求項１】
電極を備えて、挿入される照明用ランプの周辺を保護する円筒形の電気絶縁体を持つソケットにおいて、
上記円筒形の電気絶縁体は、該円筒形の一部を円筒の外側へ伸展した鍔状の伸展部を備えたことを特徴とする照明器具用ソケット。
【請求項２】
伸展部は、両面側の少なくとも片側に凹凸を設けたことを特徴とする請求項１記載の照明器具用ソケット。
【請求項３】
伸展部は、切り欠き、または孔を有することを特徴とする請求項１記載の照明器具用ソケット。
【請求項４】
伸展部は、片側の表面の色を可視光反射率が高い色としたことを特徴とする請求項１記載の照明器具用ソケット。
【請求項５】
円筒形の電気絶縁体は、複数の伸展部を備えたことを特徴とする請求項１記載の照明器具用ソケット。
【請求項６】
電極を備えて、挿入される照明用ランプの周辺を保護する円筒形の電気絶縁体を持ち、かつ該円筒形の電気絶縁体に、該円筒形の一部を円筒の外側へ伸展した鍔状の伸展部を備えたソケットと、
一方の面が開放され、他方の面は上記ソケットを取付ける取付け面とした照明器具外郭と、を備えたことを特徴とする照明器具。
【請求項７】
ソケットの伸展部を、照明器具外郭の取付け面に直接取付ける構造としたことを特徴とする請求項６記載の照明器具。
【発明の詳細な説明】
【技術分野】
【０００１】
この発明は、発光ダイオード等を光源にした照明器具用のソケット及び照明器具に関するものである。
【背景技術】
【０００２】
従来のＬＥＤ（発光ダイオード）電球はＬＥＤが高コストであること、及び、多数のＬＥＤを高密度にＬＥＤ電球内に配置するとＬＥＤが高温になり寿命が短くなると言う理由から実用に耐える、言い換えれば現行の白熱電球や電球形蛍光ランプと同等の光出力をもつものは製品化されていなかった。
しかし、近年、高効率でかつ光出力の大きなＬＥＤが出現し、高性能なＬＥＤ電球が実現されつつある。しかしながら、ＬＥＤが高効率と言ってもパワー効率で考えると１０％から２０％程度が光に変換される程度であり大部分は熱になっている。この熱をいかにＬＥＤ電球の外部に放熱するかが問題になっている。ＬＥＤ電球からの放熱を考えるとき、ＬＥＤ電球そのものに放熱対策を施すことも重要であるが、ソケットなどのＬＥＤ電球の周辺部品も工夫して、ＬＥＤ部で発生した熱を外に逃がすことも大切である。
【０００３】
対象がＬＥＤ電球ではないが、従来のソケットにおける工夫として、特許文献１の照明器具用ソケットに示された、従来の照明器具用ソケットがある。この従来のソケットは、電球の口金を保持するソケット本体の周壁に、ソケット内の熱を外部に放散するために複数のスリット状の放熱孔を、同本体における受金が取付けられた部分に本体周壁を貫通して受金を外部に臨ませる状態で設けている。しかし、この方法も放熱用の放熱孔の孔径が大きくなく限界があった。即ち貫通孔を大きくすれば、内部の口金に人が触れて危険であるし、貫通孔が小さいと熱放射が不十分で、かつほこり等によって電気回路に悪影響が及ぶことが懸念される。
【特許文献１】特開平８−１８０７３０号公報
【発明の開示】
【発明が解決しようとする課題】
【０００４】
ＬＥＤ電球で発生した熱を効率的にＬＥＤ電球外に放出するためには、ＬＥＤ電球自体の工夫では限界がある。すなわち、ＬＥＤ電球からの放熱経路はＬＥＤ電球の透光性バルブ部分からの放射熱伝導と対流熱伝達、さらにＬＥＤ電球の構成部材である口金からソケットへの熱伝導の３経路が考えられるが、ソケットに対する工夫がされていないのが現状である。上記の従来のソケットにおける工夫では、ソケットに設けた複数のスリットは、大きければ危険であるし、小さければ有効ではない、という課題がある。
一般的に、このソケットの熱伝導量をふやすことがＬＥＤ電球の温度を下げるのに有効である。ソケットの工夫とはＬＥＤ電球から流入した熱をソケットで吸収しこの吸収した熱をいかに効率よくソケット外部に放散させるかが課題となる。
【０００５】
本発明は上記の課題を解決するためになされたもので、一方が開放した中空円筒状のソケットの他端側でソケットの直径より外方に伸展した大きな平面部を有するランプソケットによりＬＥＤ電球からの熱を効率よくＬＥＤ電球の外方に放出する。
【課題を解決するための手段】
【０００６】
この発明に係る照明器具用ソケットは、電極を備えて、挿入される照明用ランプの周辺を保護する円筒形の電気絶縁体を持つソケットにおいて、
上記円筒形の電気絶縁体は、該円筒形の一部を円筒の外側へ伸展した鍔状の伸展部を備えた。
【発明の効果】
【０００７】
この発明は上記のように構成されており、光源からソケットに流入した伝導熱を鍔状の伸展部より熱伝導と対流熱伝達及び熱放射によりソケットの外方に放熱するので、光源の温度を下げる効果がある。
【発明を実施するための最良の形態】
【０００８】
実施の形態１．
ソケットを工夫して、その放熱面積を大きくすることにより、熱放射または対流による伝達熱を多くする。ＬＥＤ発光部の熱が口金部に伝わり、その口金部が接触するソケット部から熱を逃がそうとする構造を説明する。
図１は本実施の形態におけるソケットを持つ照明器具の構成を示す断面図である。図において、セラミックスや樹脂材料等の電気絶縁体で形成された、一端が開放した中空円筒状で、内部にＬＥＤ電球（照明用ランプ）３の口金５と電気的接続及び機械的接続するための金属製の受金２を配置するとともに、他端を一体的に外方に伸展した放熱部４を持つソケット１が特徴のある部品である。図の例は、他端を円筒から直角に外側へ、つまり鍔状に伸展した伸展部を持つ形状であるが、他端ではなくて、任意の部分から鍔状に伸展する構造としてもよい。また、このソケット１の底面に密着してソケット１と一体となり、コの字状の形状をした取付具６は、両端部はさらに折り曲げられた平面部７を有する。更に取付具は、一端が開放した中空円筒状の照明器具外郭８における他端の中央部と、上記折り曲げた平面部７と、ねじなどで取付られている。また、ソケット１の表面、特に鍔状に伸展した放熱部４の表面は、白色等の可視光反射率がよい色になっている。
【０００９】
このような構成になっているためＬＥＤ電球３の内部で発生した熱の一部はＬＥＤ電球３の口金５を経由して上記ソケットの受金２に熱が移動し、さらにソケット１の円筒部分に熱移動し、この熱は上記放熱部４から外部の照明器具外郭８の内面や、照明器具下面に熱放射し、また中空円筒状の照明器具外郭８内で生じる熱対流で熱拡散する。
この放熱部４が無い形状と比較すると、明らかに熱放射面が広がり、また空気と接して対流が起こる部分を広くするので、熱拡散が期待できる。
なお、天井部の取付け構造等の事情で、図２（ｂ）に示すような鍔状の部分が一部、または半分近く欠けた半月状の放熱部４としても、ある程度の熱拡散が期待できる。
【００１０】
上記放熱部４の変形を説明する。即ち図２（ａ）は、放熱部４０を斜め方向に鍔状に伸展した漏斗（朝顔）状とする。
この形状にすることで、放熱部４０の下方の対流が起こり易くなり、スムースな熱拡散が期待できる。また照明器具外郭８の側面の一部に放熱孔８ｂを設けることで、更に熱対流が起こり易くなる。
また、伸展部の形状を斜め下方へ鍔状に伸展した漏斗状とすると、放熱部の上方で対流が起こり易くなり、天井部分へ熱が拡散する。
【００１１】
実施の形態２．
熱放射と対流による熱伝達に加えて、ソケットからの熱伝導も良くして熱拡散を向上する構成を説明する。
図３は本実施の形態におけるソケットを持つ照明器具の構成を示す断面図である。図において、放熱部４を持つソケット１は、中空円筒状の照明器具外郭８における他端の中央部に直接、ネジ等で取付ける。
【００１２】
この構成によれば、先の実施の形態で説明した熱放射と熱対流に加えて、例えば金属で構成される中空円筒状の照明器具外郭８に直接、熱伝導するので、更に効率の良い熱拡散が期待できる。
【００１３】
実施の形態３．
熱放射と熱対流を更に良くする構成を説明する。
図４は、例えば放熱部４の上面に凹凸面９を設けた構造を示す図である。その他は実施の形態１と同様である。
熱拡散動作としては、実施の形態１の動作に加えて、放熱部４の上面の凹凸面９からの熱放射と、対流による熱伝達とによる熱拡散が多くなる。なお、凹凸面９は、下面に設けても良いし、両面に設けても良い。それぞれ増加する熱拡散の方向が異なる、または熱拡散が増加する効果がある。
【００１４】
図５は、この変形としての、複数の伸展した放熱部４ｃ、４ｄを持つソケット１ｃを示す図である。
ソケット１ｃを中空円筒状の照明器具外郭８に形成した透孔より挿入して照明器具外郭８にネジ止めをして照明器具とする。この照明器具を改めて天井等に、例えば図２（ａ）の下部の「ネジ取付」に示す方法で、照明器具外郭８を天井等にネジ止めする。
放熱部４ｄは照明器具外郭８と接し、そのため熱伝導による熱拡散が期待できる。加えて放熱部４ｃは、ＬＥＤ発熱部とは離れており、上部への熱放射と対流による熱伝達とによる熱拡散が期待できる。
【００１５】
図６は、他の変形としてのソケット１ｄを示す図である。
ソケット１ｄは、複数の伸展した放熱部４ｅ、４ｆを持っている。そして放熱部４ｅは、切り欠き部設けて扇形の伸展部としている。下方の放熱部４ｆは、切り欠き部があってもよいし、無くてもよい。
下方を開放した中空円筒状の照明器具外郭８ｃは、ソケット１ｄを取付ける円板部分の取付け部を、前記放熱部４ｅに対応して扇形に穴８ｄをあけてある。即ちソケット１ｄを前記照明器具外郭８ｃの外側から挿入し、放熱部４ｅが照明器具外郭８ｃの扇形の穴を通りぬけて後、ソケット１ｄを回転させて放熱部４ｆが上記他端の円板部分の取付け部に設けたネジ孔と適合する位置で止め、ネジ止めをする。
【００１６】
図５のソケット１ｃと比較すると、放熱部が少なくなる分、熱放射は減るが、切り欠いた扇形の部分を上下に空気が通ることにより対流による熱伝達が起こり易くなる効果がある。
対流が起きやすくするためには、扇形の切り欠きを設けることに代えて、例えば図５の放熱部４ｃの断面に示すように、鍔状の放熱部に大きく孔をあける構造としてもよい。
【００１７】
上記各実施の形態では、口金を持つ電球としてＬＥＤ電球を例として説明したが、低ボルト形ハロゲン電球、つまり口金として、２本の電極がでている構造のランプに対しても適用ができる。図１等の口金５は、低ボルト形ハロゲン電球ではピン形状になり、従って受金２も例えば図６（ｂ）に示したように、前記２本の電極に対応した形状になる以外は、外方向に伸展した鍔状の放熱部４を備えて、熱放射、熱伝導及び熱対流をよくしたソケットを構成できる。
【図面の簡単な説明】
【００１８】
【図１】この発明の実施の形態１における外側に伸展部があるソケットを持つ照明器具の構成を示す断面図である。
【図２】実施の形態１における他のソケットを示す図である。
【図３】実施の形態２における外側に伸展部があるソケットを持つ照明器具の構成を示す断面図である。
【図４】実施の形態３における外側に伸展部があるソケットを持つ照明器具の構成を示す断面図である。
【図５】実施の形態３における他のソケットを示す図である。
【図６】実施の形態３における他のソケットを示す図である。
【符号の説明】
【００１９】
１，１ｃ，１ｄ  ソケット、２  受金、３  ＬＥＤ電球、４，４ｃ，４ｄ，４ｅ，４ｆ，４０  放熱部、５  口金、６  取付具、７  取付具の平面部、８，８ｃ  照明器具外郭、８ｂ  放熱孔、８ｄ  穴、９  凹凸面。
【図１】
2007242435.tif 000003
【図２】
2007242435.tif 000004
【図３】
2007242435.tif 000005
【図４】
2007242435.tif 000006
【図５】
2007242435.tif 000007
【図６】
2007242435.tif 000008